(57)【特許請求の範囲】
【請求項１】
空気調和装置の機体から離れたリモコンに温度センサを設け、この温度センサから採取される室内温度に基づいて前記空気調和装置の運転を制御する空気調和装置において、
この温度センサから採取される前記室内温度に対し、該室内温度の上昇中、下降中、安定中の判断を行うとともに、室内温度変化に応じて、前記採取された室内温度に正または負の補正、或いは、無補正を補正値として加え、前記空気調和装置の運転信号としたことを特徴とする空気調和装置。
【請求項２】
請求項１に記載の空気調和装置において、前記室内温度を一定間隔で採取し、その採取された室内温度の変化量に応じて、前記補正値の大きさを変化させることを特徴とした空気調和装置。
【請求項３】
請求項１に記載の空気調和装置において、前記温度センサを設けたリモコン回路は、室内温度が下降もしくは安定している場合はパルス通電し、室温が上昇している場合は連続通電させることを特徴とした空気調和装置。
【発明の詳細な説明】
【０００１】
【発明の属する技術分野】
本発明は、室内の温度を検出するセンサを空気調和機の機体と離れたリモコンに設けた空気調和装置の温度補正制御に関する。
【０００２】
【従来の技術】
例えば、特開平５−８７３７２号公報では、室内の温度を検出するセンサを空気調和機の機体と離れたリモコンに設けた空気調和装置の制御方法が開示されている。
【０００３】
この発明によると、空気調和機の運転中に室内温度を安定させる為に、空気調和機本体の吸込み口付近にある温度センサの温度変動に関わらず、空気調和機の機体と離れたリモコンに設けた温度センサの検出温度と、その時点での設定温度に基づいて室内温度を安定させるように空気調和機の運転を制御する方法が示されている。
【０００４】
【発明が解決しようとする課題】
しかしながら、空気調和機のリモコンの設定温度を変更して室内温度を上昇／下降させようとした場合、リモコンに設けた温度センサのみを使用して室内温度の制御を行う場合には、リモコン本体並びにリモコンを取付けた壁面が保持している潜熱、及びリモコン回路並びにセンサ自身の発熱の影響によりリモコンに設けた温度センサが検知する温度が実際の室内温度よりも高くなってしまい、冷房運転時に冷えすぎる、または暖房運転時に暖まらない等の問題が発生していた。
【０００５】
【課題を解決するための手段】
上記課題を解決するために、請求項１に記載の発明は、空気調和装置の本体から離れたリモコンに温度センサを設け、この温度センサから採取される室内温度に基づいて空気調和機の運転を制御する空気調和装置において、この温度センサから採取される前記室内温度に対し、該室内温度の上昇中、下降中、安定中の判断を行うとともに、室内温度変化に応じて、前記採取された室内温度に正または負の補正、或いは、無補正を補正値として加え、前記空気調和装置の運転信号とするものである。
【０００８】
請求項２に記載の発明は、請求項１に記載の空気調和装置において、前記室内温度を一定間隔で採取し、その採取された室内温度の変化量に応じて、前記補正値の大きさを変化させることである。
【０００９】
請求項３に記載の発明は、請求項１に記載の空気調和装置において、前記温度センサを設けたリモコン回路には、室内温度が降下もしくは安定している場合はパルス通電し、前記室内温度が上昇している場合は連続通電させることである。
【００１０】
請求項１に記載の発明には、次の作用がある。機体から離れたリモコンに設けた温度センサからの出力値に基づいて運転を制御する空気調和機は、この温度センサからの出力値に室内温度変化に応じて補正を加えて運転信号とすることにより、リモコン本体並びにリモコンを取付けた壁面が保持している潜熱、及びリモコン回路並びにセンサ自身の発熱の影響により、リモコンに設けた温度センサが検知する温度が実際の室内温度よりも高くなってしまい、冷房運転時に冷えすぎる、または暖房運転時に暖まらない等の問題を解決し快適な空調環境を提供することが可能となる。
【００１１】
請求項２に記載の発明には、次の作用がある。請求項１に記載の空気調和機による室内温度変化が下降中の場合は、温度センサからの出力値に負の補正値を加えることにより、室内温度を下降させる場合の応答性が高くなる。
【００１２】
請求項３に記載の発明には、次の作用がある。請求項１に記載の温度センサを備えたリモコンの設置場所は、状況に応じて補正値の上限値をリモコンから変更可能とすることにより、リモコンを設置した場所がユーザーの要求する室内温度を計測する場所に適さない場合でも、対応することが可能となる。
【００１３】
請求項４に記載の発明には、次の作用がある。請求項１に記載の空気調和装置は、運転信号の補正値を一定時間間隔で検知した室内温度変化量に応じて、補正値の大きさを変化させることにより、室内温度の変化要求に対する応答性が高くなる。
【００１４】
請求項５に記載の発明には、次の作用がある。請求項１に記載の空気調和機のリモコン回路は、室内温度が下降もしくは安定している場合はパルス通電することにより消費電力を軽減し自己発熱を減少させることができ、室温が上昇している場合は連続通電させることにより室内温度の変化に対する応答性が高くなる。
【００１５】
【発明の実施の形態】
次に、本発明の一実施形態を、図面に基づき説明する。
【００１６】
図１は、本発明に係わる空気調和装置の一実施の形態における断面図である。
【００１７】
図１において、１は遠心型送風機２と熱交換器３及び電装箱４を内蔵し天井空間５内に設置される機体６と、吸込口７と吹出口８とを有し天井１０の下面に取付けられる化粧パネル９とからなる天井埋込型空気調和機で、吸込口７と遠心型送風機２と間の吸込口通路中に温度を検出する第１のセンサ１５が設けられている。
【００１８】
２０は空気調和機１の運転を制御するリモコンでユニット間配線１３を介して機体６につながれている。このリモコン２０は、図２及び図３で示すように運転／停止スイッチ２２、冷暖運転切換スイッチ２３、温度設定スイッチ２４、風速切換スイッチ２５等の操作部と、温度を検出する第２のセンサ２１とが設けられている。
【００１９】
この種の機体６内並びにリモコン内に夫々センサを内蔵する空気調和装置は、通常２つのセンサの内いずれか一方のセンサのみを動作させ運転を制御しており、機体６内のセンサ１５を動作させる場合は、リモコン２０側のセンサ２１は動作させずに運転し、リモコン２０側のセンサ２１を動作させる場合は、機体６側のセンサ１５は動作させずに運転を行う。
【００２０】
しかしながら、リモコン２０側のセンサ２１だけで運転を制御する場合、機体６側のセンサ１５のように常時空気の流れがある場所にリモコン２０が設置されるとは限らず、またリモコン２０本体樹脂が保持する熱や、リモコン回路並びにセンサ２１自身の発熱の影響もあって、実際の室内温度に比べてリモコン２０側のセンサ２１が検知する温度が高くなってしまうことがあり、冷房運転時には冷えすぎる、また暖房運転時には暖まりが悪い等のクレーム発生の原因になっていた。
【００２１】
更に、設定温度を上昇／下降させる場合にも、リモコン２０側のセンサ２１が検知する温度が実際の室内温度変化よりも遅れて変化する為、空調制御の応答性が悪くなり、特に設定温度を下降させる場合には、センサ２１が室内温度よりも高めの温度を検知してしまう為、特に応答性が悪くなってしまう。
【００２２】
本発明では、この課題を温度補正制御によって解決するものであり、以下に本案の空気調和装置の動作を説明する。
【００２３】
図４及び図５に示す本案のメインルーチンは、ステップＳ１で温度補正制御の開始が司令され、まずリモコン２０側のセンサ２１（図２参照）で温度採取するインターバールを計測し（ステップＳ２）、時間が経過していなければステップＳ１へ戻り、経過していればセンサ２１で計測した前回のデータの有無を判定し、前回データがなければステップ２５（図５参照）へ飛び、前回データがある場合は次へ進む（ステップＳ３）。
【００２４】
ステップ４では、センサ２１の今回の計測温度と前回の計測温度の差を計算し、現在室内温度が安定中か上昇中か下降中かを判定する（ステップＳ５）。
【００２５】
次に、３回分のデータの取込が完了したかを確認し（ステップＳ６）、完了していない場合は、詳細は後述するモード切換チェックＢのサブルーチンで室内温度下降中と確認し、補正値を切換えるかどうか判定する（ステップＳ７〜Ｓ９）。
【００２６】
室内温度下降中と確認された場合は、詳細は後述する下降中の制御Ｂのサブルーチンで補正値をセットしステップＳ２４（図５参照）へ飛ぶ（ステップＳ１０〜Ｓ１１）。
【００２７】
ステップＳ６で３回分のデータの取込が完了した場合は、まずモード切換チェックＢのサブルーチンで補正値の切換を判断し、更に詳細は後述するモード切換チェックＡのサブルーチンで補正値の切換を判断し、室内温度が安定中か下降中か上昇中かの処理へ進む（ステップＳ１２〜Ｓ１８：図５参照）。
【００２８】
まず、ステップＳ１９の安定中の制御では補正値に０をセットし、リモコン回路にはパルス通電を指示して状態フラグには安定中フラグをセットする（ステップＳ８０〜Ｓ８４）。
【００２９】
次に、ステップＳ２０の下降中の制御では、まず下降中の制御Ｂのサブルーチンで温度変化の大きさを確認して補正値をセットし（ステップＳ７０〜Ｓ７９：図１０参照）、温度変化が少ない場合は、下降中の制御Ｂのサブルーチンで温度変化の大きさを確認して補正値をセットする（ステップＳ６０〜Ｓ６Ｆ：図９参照）。
【００３０】
更に、ステップＳ２１の上昇中の制御では補正値に０をセットし、リモコン回路には連続通電を指示してリモコン回路並びにセンサ２１自身の発熱を利用して温度上昇指示への応答性を高めるようにし、また状態フラグには上昇中フラグをセットする（ステップＳ９０〜Ｓ９４：図１２参照）。
【００３１】
最後に、温度採取するインターバール経過時間をリセットし、今回のセンサ計測温度を前回のセンサ計測温度に置換えてステップ１へ戻る（ステップＳ２４〜Ｓ２６）。
【００３２】
ここで、上述した本文中のサブルーチン動作について述べる。
【００３３】
まず、ステップ５の温度が上昇／下降中かを判定するサブルーチンの動作は、図６
に示すようにセンサ２１の今回の計測温度と前回の計測温度の差ΔＴが、ΔＴ＜０の場合は下降中を示すフラグ１０を、ΔＴ＞０の場合は上昇中を示すフラグ０１を、ΔＴ＝０の場合は上昇中を示すフラグ００をセットしメモリ内に記憶させるとともに、３回分のセンサ２１によるデータ取込が完了している場合には完了フラグのセットする処理を行わせる（ステップＳ３０〜Ｓ３７）。
【００３４】
次に、ステップ１４のモード切換チェックＡサブルーチンの動作は、図７で示すように、３回分のセンサ２１によるデータ取込中に２回の温度下降を判断した場合は補正変化値（Δ補正）に−１．０をセットし（ステップＳ４０〜Ｓ４２）、３回分のセンサ２１によるデータ取込中に１回だけ温度下降を判断した場合は補正変化値（Δ補正）に−０．５をセットし（ステップＳ４０〜Ｓ４２）、それ以外の場合は補正値の切換が不成立であることを示すフラグをセットする（ステップＳ４Ａ）。そして、補正変化値（Δ補正）がセットされた場合は、現在の補正値に補正変化値（Δ補正）を加算して新たな補正値とし、この補正値が予め設定されている補正の上／下限値を越えていないかチェックを行い（ステップＳ４５〜Ｓ４６）、温度が下降中であることを示すフラグ及び補正値が切換わったことを示すフラグをセットする処理を行わせる（ステップＳ４７〜Ｓ４Ｂ）。
【００３５】
次に、ステップ７及びステップ１２のモード切換チェックＢサブルーチンの動作は、図８で示すように、センサ２１によるデータ取込が２回連続で温度上昇を判断した場合、または下降中で且つ現在の補正値が０の場合は補正変化値（Δ補正）に０をセットする（ステップＳ５０〜Ｓ５３）。そして、今回の温度が下降中でなく前２回が下降していた場合、補正変化値（Δ補正）に−１．５をセットし（ステップＳ５４〜Ｓ５６）、前２回が下降していなくΔＴ≦−１．０で、ΔＴ＝−１．０の場合はΔ補正＝−１．５をセットし、異なる場合はΔ補正＝上限の補正値をセットする（ステップＳ５７、Ｓ５Ｃ〜Ｓ５Ｅ）。ステップＳ５４で今回データが下降中であるか、ステップＳ５７で前２回が下降していなくΔＴ≦−１．０でない場合は、今が上昇中であるならば補正値の切換が非成立であるフラグをセットし（ステップＳ５８→Ｓ５Ｌ）、今が上昇中でなく２回連続したならば補正値に０をセットし、温度が上昇中であるフラグをセットし、今が上昇中でなく且つ２回連続しない場合は、補正値の切換が非成立であるフラグをセットする（ステップＳ５８〜Ｓ５Ｂ）。最後に、安定中か下降中か上昇中のフラグ及び補正値が切換わったことを示すフラグをセットする処理を行わせる（ステップＳ５Ｊ〜Ｓ５Ｍ）。
【００３６】
次に、ステップＳ２３の温度が下降中の制御Ａサブルーチンの動作は、図９に示すようにセンサ２１の今回の計測温度と前回の計測温度の差ΔＴが、ΔＴ＝−１．０の場合はΔ補正＝−１．０をセットし、ΔＴ≧−１．５の場合はΔ補正＝−１．５をセットし、前記条件を満たさず３回の計測データ中３回もしくは２回が下降中であればΔ補正＝−０．５をセットし、３回の計測データが一致する場合はΔ補正＝＋０．５、しない場合はΔ補正＝０をセットする（ステップＳ６０〜Ｓ６Ｂ）。最後に、現在の補正値に補正変化値（Δ補正）を加算して新たな補正値とし、この補正値が予め設定されている補正の上／下限値を越えていないかチェックを行い、温度が下降中であることを示すフラグ及び補正値が切換わったことを示すフラグをセットする処理を行わせる（ステップＳ６Ｃ〜Ｓ６Ｆ）。
【００３７】
そして、ステップＳ１０並びにステップＳ２０の温度が下降中の制御Ｂサブルーチンの動作は、図１０に示すようにセンサ２１の今回の計測温度と前回の計測温度の差ΔＴが、ΔＴ＝−１．０の場合はΔ補正＝−１．０をセットし、ΔＴ≧−１．５の場合はΔ補正＝−１．５をセットし、現在の補正値に補正変化値（Δ補正）を加算して新たな補正値とし、この補正値が予め設定されている補正の上／下限値を越えていないかチェックを行い、温度が下降中であることを示すフラグ及び補正値が切換わったことを示すフラグをセットする処理を行わせる（ステップＳ７０〜Ｓ７７）。前記条件を満たさない場合は、補正値の切換が非成立であるフラグをセットする（ステップＳ７３→Ｓ７８）。
【００３８】
本発明では、上述したように空気調和装置のリモコンのセンサだけで運転を制御する場合、温度補正制御を行う事により温度設定変更等の応答性の改善を図り、かつ快適な空調環境を提供する方法を提案している。またリモコン回路の通電方法を使用時間の大半を占める室内温度安定中及び下降中にパルス通電することで消費電力の低減も図っている。
【００３９】
以上、本発明を上記実施の形態に基づいて説明したが、本発明はこれに限定されるものではない。
【００４０】
【発明の効果】
以上のように、請求項１に記載の発明によれば、空気調和装置の機体から離れたリモコンに温度センサを設け、この温度センサからの出力値に基づいて空気調和装置の運転を制御する空気調和装置において、この温度センサからの出力値に室内温度変化に応じて補正を加えて空気調和装置の運転信号とすることにより、冷房運転時には冷えすぎる、また暖房運転時には暖まりが悪い等の問題を解消させることができる。
【００４３】
請求項２に記載の発明によれば、請求項１に記載の空気調和装置において、前記室内温度を一定間隔で採取し、その採取された室内温度の変化量に応じて、前記補正値の大きさを変化させることにより室内温度の変化要求に対する応答性が高くなる。
【００４４】
請求項３に記載の発明によれば、請求項１に記載の空気調和装置において、前記温度センサを設けたリモコン回路には、室内温度が降下もしくは安定している場合はパルス通電し、前記室内温度が上昇している場合は連続通電させることで使用時間の大半を占める室内温度安定中及び下降中に消費電力の低減を図れる。
【図面の簡単な説明】
【図１】本発明に係る空気調和装置における一実施の形態における断面図である。
【図２】本発明に係る空気調和装置におけるリモコンに内蔵されたセンサを示す斜視図である。
【図３】本発明に係る空気調和装置におけるリモコンを示す正面図である。
【図４】本発明に係る温度補正制御の主フロー図である。
【図５】図４の続きを示す主フロー図である。
【図６】図４に示すステップＳ５の副フロー図である。
【図７】図４に示すステップＳ１４の副フロー図である。
【図８】図４に示すステップＳ７及びＳ１２の副フロー図である。
【図９】図５に示すステップＳ２３の副フロー図である。
【図１０】図４に示すステップＳ１０及び図５に示すステップＳ１０の副フロー図である。
【図１１】図５に示すステップＳ１９の副フロー図である。
【図１２】図５に示すステップＳ２１の副フロー図である。
【符号の説明】
１    空気調和機
６    機体
２０  リモコン
２１  温度センサ
【図１】
0004155688.tif 000002
【図２】
0004155688.tif 000003
【図３】
0004155688.tif 000004
【図４】
0004155688.tif 000005
【図５】
0004155688.tif 000006
【図６】
0004155688.tif 000007
【図７】
0004155688.tif 000008
【図８】
0004155688.tif 000009
【図９】
0004155688.tif 000010
【図１０】
0004155688.tif 000011
【図１１】
0004155688.tif 000012
【図１２】
0004155688.tif 000013